(57)【要約】【課題】図面を作成する際のユーザの操作をより容易にすること。【解決手段】入力装置を介して入力される情報に基づいて、製品を構成する複数の構成部品を複数の配置位置に対応づける部品表を作成するステップと、複数の部品を複数の図形に対応づけるテーブルを参照して、その部品表に基づいて、その複数の図形のうちのその複数の構成部品に対応する複数の構成部品図形が表示される図面を示す図面情報を作成するステップＳ１とを備えている。このとき、その図面は、その複数の構成部品のうちの任意の構成部品に対応する構成部品図形がその複数の配置位置のうちのその任意の構成部品に対応する配置位置に表示されるように作成される。このような部品表図面作成方法によれば、その部品表が適切に作成されることにより、図面を作成する際のユーザの操作をより容易にすることができる。【選択図】図１
2012123483.tif 000002
【特許請求の範囲】
【請求項１】
入力装置を介して入力される情報に基づいて、製品を構成する複数の構成部品を複数の配置位置に対応づける部品表を作成する部品表作成部と、
複数の部品を複数の図形に対応づけるテーブルを参照して、前記部品表に基づいて、前記複数の図形のうちの前記複数の構成部品に対応する複数の構成部品図形が表示される図面を示す図面情報を作成する図面作成部とを具備し、
前記図面は、前記複数の構成部品のうちの任意の構成部品に対応する構成部品図形が前記複数の配置位置のうちの前記任意の構成部品に対応する配置位置に表示されるように作成される
部品表図面作成装置。
【請求項２】
請求項１において、
前記図面作成部は、さらに、前記図面に表示される複数の表示図形のうちの前記複数の構成部品に対応しない非対応図形を前記図面から消去する
部品表図面作成装置。
【請求項３】
請求項２において、
前記部品表は、さらに、前記複数の構成部品を複数の構成部品属性情報に対応づけ、
前記図面情報は、前記複数の表示図形に対応する複数の表示部品を複数の表示部品属性情報に対応づける図面属性情報をさらに示し、
前記図面作成部は、さらに、前記複数の表示部品属性情報のうちの任意の表示部品に対応する表示部品属性情報が前記複数の構成部品属性情報のうちの前記任意の表示部品に対応する構成部品属性情報に一致するように、前記図面属性情報を作成する
部品表図面作成装置。
【請求項４】
請求項３において、
入力装置を介して入力される情報に基づいて前記複数の構成部品属性情報を更新する部品表更新部と、
前記複数の構成部品属性情報が更新された場合で、前記複数の表示部品属性情報のうちの不一致部品に対応する表示部品属性情報が前記複数の構成部品属性情報のうちの前記不一致部品に対応する構成部品属性情報と異なるときに、前記表示部品属性情報が前記構成部品属性情報に一致するように、前記図面属性情報を更新する属性情報整合部
とをさらに具備する部品表図面作成装置。
【請求項５】
請求項４において、
入力装置を介して入力される情報に基づいて前記複数の表示部品属性情報を更新する図面更新部をさらに具備し、
前記複数の構成部品属性情報は、
前記複数の構成部品に対応する複数の第１構成部品属性情報と
前記複数の構成部品に対応する複数の第２構成部品属性情報とを示し、
前記複数の表示部品属性情報は、
前記複数の表示部品に対応する複数の第１表示部品属性情報と
前記複数の表示部品に対応する複数の第２表示部品属性情報とを示し、
前記属性情報整合部は、
前記複数の表示部品属性情報が更新された場合で、前記複数の第１表示部品属性情報のうちの第１不一致部品に対応する第１表示部品属性情報が前記複数の第１構成部品属性情報のうちの前記第１不一致部品に対応する第１構成部品属性情報と異なるときに、前記第１構成部品属性情報が前記第１表示部品属性情報に一致するように、前記図面属性情報を更新し、
前記複数の表示部品属性情報が更新された場合で、前記複数の第２表示部品属性情報のうちの第２不一致部品に対応する第２表示部品属性情報が前記複数の第２構成部品属性情報のうちの前記第２不一致部品に対応する第２構成部品属性情報と異なるときに、前記第２構成部品属性情報が前記第２表示部品属性情報に一致するように、前記部品表を更新する
部品表図面作成装置。
【請求項６】
請求項５において、
前記複数の第１構成部品属性情報のうちの任意の部品に対応する第１構成部品属性情報は、複数の階層に対応する複数の組立品を示す構成情報を示し、
前記複数の組立品のうちの最下位階層に対応する組立品は、前記任意の部品を備え、
前記複数の組立品のうちの任意の階層に対応する組立品は、前記複数の組立品のうちの前記任意の階層より下位の階層に対応する組立品を備える
部品表図面作成装置。
【請求項７】
請求項６において、
前記図面と複数の表示組立品とを表示装置に表示する表示部をさらに具備し、
前記表示部は、入力装置を介して入力される情報に基づいて前記複数の表示組立品から選択組立品が選択されたときに、前記複数の表示図形のうちの複数の組立品図形を前記複数の表示図形のうちの前記複数の組立品図形を除く図形と識別可能に前記図面に表示し、
前記複数の第１表示部品属性情報のうちの組立品部品に対応する第１表示部品属性情報が示す構成情報は、前記複数の表示部品のうちの前記複数の組立品図形に対応する複数の組立品部品が前記組立品部品を含むときに、前記選択組立品を示す
部品表図面作成装置。
【請求項８】
入力装置を介して入力される情報に基づいて、製品を構成する複数の構成部品を複数の配置位置に対応づける部品表を作成するステップと、
複数の部品を複数の図形に対応づけるテーブルを参照して、前記部品表に基づいて、前記複数の図形のうちの前記複数の構成部品に対応する複数の構成部品図形が表示される図面を示す図面情報を作成するステップとを具備し、
前記図面は、前記複数の構成部品のうちの任意の構成部品に対応する構成部品図形が前記複数の配置位置のうちの前記任意の構成部品に対応する配置位置に表示されるように作成される
部品表図面作成方法。
【請求項９】
請求項８において、
前記図面に表示される複数の表示図形のうちの前記複数の構成部品に対応しない非対応図形を前記図面から消去するステップ
をさらに具備する部品表図面作成方法。
【請求項１０】
請求項９において、
前記部品表は、さらに、前記複数の構成部品を複数の構成部品属性情報に対応づけ、
前記図面情報は、前記複数の表示図形に対応する複数の表示部品を複数の表示部品属性情報に対応づける図面属性情報をさらに示し、
さらに、
前記複数の表示部品属性情報のうちの任意の表示部品に対応する表示部品属性情報が前記複数の構成部品属性情報のうちの前記任意の表示部品に対応する構成部品属性情報に一致するように、前記図面属性情報を作成するステップ
をさらに具備する部品表図面作成方法。
【請求項１１】
請求項１０において、
入力装置を介して入力される情報に基づいて前記複数の構成部品属性情報を更新するステップと、
前記複数の構成部品属性情報が更新された場合で、前記複数の表示部品属性情報のうちの不一致部品に対応する表示部品属性情報が前記複数の構成部品属性情報のうちの前記不一致部品に対応する構成部品属性情報と異なるときに、前記表示部品属性情報が前記構成部品属性情報に一致するように、前記図面属性情報を更新するステップ
とをさらに具備する部品表図面作成方法。
【請求項１２】
請求項１１において、
前記複数の構成部品属性情報は、
前記複数の構成部品に対応する複数の第１構成部品属性情報と
前記複数の構成部品に対応する複数の第２構成部品属性情報とを示し、
前記複数の表示部品属性情報は、
前記複数の表示部品に対応する複数の第１表示部品属性情報と
前記複数の表示部品に対応する複数の第２表示部品属性情報とを示し、
さらに
入力装置を介して入力される情報に基づいて前記複数の表示部品属性情報を更新するステップと、
前記複数の表示部品属性情報が更新された場合で、前記複数の第１表示部品属性情報のうちの第１不一致部品に対応する第１表示部品属性情報が前記複数の第１構成部品属性情報のうちの前記第１不一致部品に対応する第１構成部品属性情報と異なるときに、前記第１構成部品属性情報が前記第１表示部品属性情報に一致するように、前記図面属性情報を更新するステップと、
前記複数の表示部品属性情報が更新された場合で、前記複数の第２表示部品属性情報のうちの第２不一致部品に対応する第２表示部品属性情報が前記複数の第２構成部品属性情報のうちの前記第２不一致部品に対応する第２構成部品属性情報と異なるときに、前記第２構成部品属性情報が前記第２表示部品属性情報に一致するように、前記部品表を更新するステップ
とを具備する部品表図面作成方法。
【請求項１３】
請求項１２において、
前記複数の第１構成部品属性情報のうちの任意の部品に対応する第１構成部品属性情報は、複数の階層に対応する複数の組立品を示す構成情報を示し、
前記複数の組立品のうちの最下位階層に対応する組立品は、前記任意の部品を備え、
前記複数の組立品のうちの任意の階層に対応する組立品は、前記複数の組立品のうちの前記任意の階層より下位の階層に対応する組立品を備える
部品表図面作成方法。
【請求項１４】
請求項１３において、
前記図面と複数の表示組立品とを表示装置に表示するステップと、
入力装置を介して入力される情報に基づいて前記複数の表示組立品から選択組立品が選択されたときに、前記複数の表示図形のうちの複数の組立品図形を前記複数の表示図形のうちの前記複数の組立品図形を除く図形と識別可能に前記図面に表示するステップとをさらに具備し、
前記複数の第１表示部品属性情報のうちの組立品部品に対応する第１表示部品属性情報が示す構成情報は、前記複数の表示部品のうちの前記複数の組立品図形に対応する複数の組立品部品が前記組立品部品を含むときに、前記選択組立品を示す
部品表図面作成方法。
【請求項１５】
請求項８〜請求項１４のいずれかに記載される部品表図面作成方法をコンピュータに実行させるための
コンピュータプログラム。
【発明の詳細な説明】
【技術分野】
【０００１】
本発明は、部品表図面作成装置および部品表図面作成方法に関し、特に、製品を構成する複数の部品を示す部品表とその製品を表示する図面とを作成するときに利用される部品表図面作成装置および部品表図面作成方法に関する。
【背景技術】
【０００２】
製品を製造するときに利用される部品表（ＢＯＭ：Ｂｉｌｌ  ｏｆ  Ｍａｔｅｒｉａｌ）と図面とが知られている。その部品表は、その製品を構成する複数の部品を示している。その図面は、その製品の構造を示している。その部品表とその図面とをより容易に作成することが望まれている。
【０００３】
特許第３８２４１５５号公報には、ＣＡＤ図面の作成以外の追加作業をできるだけ少なくして、図面の属性情報を部品表へ登録処理することが可能な電子パーツリストシステムが開示されている。その電子パーツリストシステムは、コンピュータにより機器の部品のＣＡＤ図面中に存在するＣＡＤシステムの特定要素の検索を行い、前記特定要素で構成された前記部品の情報を、属性情報として前記ＣＡＤ図面から抽出し、前記属性情報の内、前記機器の部品表に対する整合性の検査用に使用される前記属性情報としての検査属性情報を出力する図面設計システムと、コンピュータにより前記検査属性情報のデータの種類及びサイズと、前記部品表のデータの種類及びサイズとの整合性の検査を行い、検査結果としての検査情報を前記図面設計システムへ出力する部品表システムとを具備し、前記図面設計システムは、前記検査情報に基づいて、前記属性情報が整合性を有する場合、前記属性情報を前記部品表システムへ出力し、前記部品表システムは、前記属性情報を前記部品表に登録する。
【先行技術文献】
【特許文献】
【０００４】
【特許文献１】特許第３８２４１５５号公報
【発明の概要】
【発明が解決しようとする課題】
【０００５】
本発明の課題は、製品を構成する複数の部品を示す部品表とその製品を表示する図面とをより容易に作成する部品表図面作成装置および部品表図面作成方法を提供することにある。
本発明の他の課題は、製品を構成する複数の部品を示す部品表とその製品を表示する図面とをより適切に整合させる部品表図面作成装置および部品表図面作成方法を提供することにある。
【課題を解決するための手段】
【０００６】
以下に、発明を実施するための形態・実施例で使用される符号を括弧付きで用いて、課題を解決するための手段を記載する。この符号は、特許請求の範囲の記載と発明を実施するための形態・実施例の記載との対応を明らかにするために付加されたものであり、特許請求の範囲に記載されている発明の技術的範囲の解釈に用いてはならない。
【０００７】
本発明による部品表図面作成装置（１）は、部品表作成部（２）と図面作成部（３）とを備えている。部品表作成部（２）は、入力装置を介して入力される情報に基づいて、製品を構成する複数の構成部品（１１）を複数の配置位置（１２）に対応づける部品表（１０）を作成する。図面作成部（３）は、複数の部品（２２）を複数の図形（２３）に対応づけるテーブル（２１）を参照して、部品表（１０）に基づいて、複数の図形（２３）のうちの複数の構成部品（１１）に対応する複数の構成部品図形が表示される図面（３１）を示す図面情報を作成する。このとき、図面（３１）は、複数の構成部品（１１）のうちの任意の構成部品に対応する構成部品図形（３３−ｉ）が複数の配置位置（１２）のうちのその任意の構成部品に対応する配置位置に表示されるように作成される。このような部品表図面作成装置（１）によれば、部品表（１０）が適切に作成されることにより、図面を作成する際のユーザの操作をより容易にすることができる。
【０００８】
図面作成部（３）は、さらに、図面（３１）に表示される複数の表示図形（３３−１〜３３−ｎ）のうちの複数の構成部品（１１）に対応しない非対応図形を図面（３１）から消去することが好ましい。
【０００９】
部品表（１０）は、さらに、複数の構成部品（１１）を複数の構成部品属性情報（１４、１５、１６）に対応づけている。その図面情報は、複数の表示図形（３３−１〜３３−ｎ）に対応する複数の表示部品（６２）を複数の表示部品属性情報（６３、６４、６５）に対応づける図面属性情報（６１）をさらに示している。このとき、図面作成部（３）は、さらに、複数の表示部品属性情報（６３、６４、６５）のうちの任意の表示部品に対応する表示部品属性情報が複数の構成部品属性情報（１４、１５、１６）のうちのその任意の表示部品に対応する構成部品属性情報に一致するように、図面属性情報（６１）を作成することが好ましい。
【００１０】
本発明による部品表図面作成装置（１）は、部品表更新部（６）と属性情報整合部（８）とをさらに備えていることが好ましい。部品表更新部（６）は、入力装置を介して入力される情報に基づいて複数の構成部品属性情報（１４、１５、１６）を更新する。属性情報整合部（８）は、複数の構成部品属性情報（１４、１５、１６）が更新された場合で、複数の表示部品属性情報（６３、６４、６５）のうちの不一致部品に対応する表示部品属性情報が複数の構成部品属性情報（１４、１５、１６）のうちのその不一致部品に対応する構成部品属性情報と異なるときに、その表示部品属性情報がその構成部品属性情報に一致するように、図面属性情報（６１）を更新する。
【００１１】
本発明による部品表図面作成装置（１）は、入力装置を介して入力される情報に基づいて複数の表示部品属性情報（６３、６４、６５）を更新する図面更新部（７）をさらに備えている。複数の構成部品属性情報（１４、１５、１６）は、複数の構成部品（１１）に対応する複数の第１構成部品属性情報（１４、１６）と複数の構成部品（１１）に対応する複数の第２構成部品属性情報（１５）とを示している。複数の表示部品属性情報（６３、６４、６５）は、複数の表示部品（６２）に対応する複数の第１表示部品属性情報（６３、６５）と複数の表示部品（６２）に対応する複数の第２表示部品属性情報（６４）とを示している。属性情報整合部（８）は、複数の表示部品属性情報（６３、６４、６５）が更新された場合で、複数の第１表示部品属性情報（６３、６５）のうちの第１不一致部品に対応する第１表示部品属性情報が複数の第１構成部品属性情報（１４、１６）のうちのその第１不一致部品に対応する第１構成部品属性情報と異なるときに、その第１構成部品属性情報がその第１表示部品属性情報に一致するように、図面属性情報（６１）を更新する。属性情報整合部（８）は、さらに、複数の表示部品属性情報（６３、６４、６５）が更新された場合で、複数の第２表示部品属性情報（６４）のうちの第２不一致部品に対応する第２表示部品属性情報が複数の第２構成部品属性情報（１５）のうちのその第２不一致部品に対応する第２構成部品属性情報と異なるときに、その第２構成部品属性情報がその第２表示部品属性情報に一致するように、部品表（１０）を更新する。このような部品表図面作成装置（１）によれば、複数の表示部品属性情報（６３、６４、６５）と複数の構成部品属性情報（１４、１５、１６）とをより適切に整合させることができる。
【００１２】
複数の第１構成部品属性情報（１４、１６）のうちの任意の部品に対応する第１構成部品属性情報は、複数の階層（４２−１〜４２−ｍ）に対応する複数の組立品を示している構成情報を示している。その複数の組立品のうちの最下位階層に対応する組立品は、その任意の部品を備えている。その複数の組立品のうちの任意の階層に対応する組立品は、その複数の組立品のうちのその任意の階層より下位の階層に対応する組立品を備えている。
【００１３】
本発明による部品表図面作成装置（１）は、図面（３１）と複数の表示組立品とを表示装置に表示する表示部（５）をさらに備えている。表示部（５）は、さらに、入力装置を介して入力される情報に基づいてその複数の表示組立品から選択組立品が選択されたときに、複数の表示図形（３３−１〜３３−ｎ）のうちの複数の組立品図形を複数の表示図形（３３−１〜３３−ｎ）のうちのその複数の組立品図形を除く図形と識別可能に図面（３１）に表示する。このとき、複数の第１表示部品属性情報（６３、６５）のうちの組立品部品に対応する第１表示部品属性情報が示している構成情報は、複数の表示部品（６２）のうちのその複数の組立品図形に対応する複数の組立品部品がその組立品部品を含んでいるときに、その選択組立品を示している。
【００１４】
本発明による部品表図面作成方法は、入力装置を介して入力される情報に基づいて、製品を構成する複数の構成部品（１１）を複数の配置位置（１２）に対応づける部品表（１０）を作成するステップと、複数の部品（２２）を複数の図形（２３）に対応づけるテーブル（２１）を参照して、部品表（１０）に基づいて、複数の図形（２３）のうちの複数の構成部品（１１）に対応する複数の構成部品図形が表示される図面（３１）を示す図面情報を作成するステップ（Ｓ１）とを備えている。図面（３１）は、複数の構成部品（１１）のうちの任意の構成部品に対応する構成部品図形（３３−ｉ）が複数の配置位置（１２）のうちのその任意の構成部品に対応する配置位置に表示されるように作成される。このような部品表図面作成方法によれば、部品表（１０）が適切に作成されることにより、図面を作成する際のユーザの操作をより容易にすることができる。
【００１５】
本発明による部品表図面作成方法は、図面（３１）に表示される複数の表示図形（３３−１〜３３−ｎ）のうちの複数の構成部品（１１）に対応しない非対応図形を図面（３１）から消去するステップ（Ｓ５）をさらに備えている。
【００１６】
部品表（１０）は、さらに、複数の構成部品（１１）を複数の構成部品属性情報（１４、１５、１６）に対応づけ、その図面情報は、複数の表示図形（３３−１〜３３−ｎ）に対応する複数の表示部品（６２）を複数の表示部品属性情報（６３、６４、６５）に対応づける図面属性情報（６１）をさらに示している。このとき、本発明による部品表図面作成方法は、さらに、複数の表示部品属性情報（６３、６４、６５）のうちの任意の表示部品に対応する表示部品属性情報が複数の構成部品属性情報（１４、１５、１６）のうちのその任意の表示部品に対応する構成部品属性情報に一致するように、図面属性情報（６１）を作成するステップ（Ｓ３）をさらに備えている。
【００１７】
本発明による部品表図面作成方法は、入力装置を介して入力される情報に基づいて複数の構成部品属性情報（１４、１５、１６）を更新するステップと、複数の構成部品属性情報（１４、１５、１６）が更新された場合で、複数の表示部品属性情報（６３、６４、６５）のうちの不一致部品に対応する表示部品属性情報が複数の構成部品属性情報（１４、１５、１６）のうちのその不一致部品に対応する構成部品属性情報と異なるときに、その表示部品属性情報がその構成部品属性情報に一致するように、図面属性情報（６１）を更新するステップとをさらに備えている。
【００１８】
複数の構成部品属性情報（１４、１５、１６）は、複数の構成部品（１１）に対応する複数の第１構成部品属性情報（１４、１６）と複数の構成部品（１１）に対応する複数の第２構成部品属性情報（１５）とを示している。複数の表示部品属性情報（６３、６４、６５）は、複数の表示部品（６２）に対応する複数の第１表示部品属性情報（６３、６５）と複数の表示部品（６２）に対応する複数の第２表示部品属性情報（６４）とを示している。本発明による部品表図面作成方法は、さらに、入力装置を介して入力される情報に基づいて複数の表示部品属性情報（６３、６４、６５）を更新するステップと、複数の表示部品属性情報（６３、６４、６５）が更新された場合で、複数の第１表示部品属性情報（６３、６５）のうちの第１不一致部品に対応する第１表示部品属性情報が複数の第１構成部品属性情報（１４、１６）のうちのその第１不一致部品に対応する第１構成部品属性情報と異なるときに、その第１構成部品属性情報がその第１表示部品属性情報に一致するように、図面属性情報（６１）を更新するステップと、複数の表示部品属性情報（６３、６４、６５）が更新された場合で、複数の第２表示部品属性情報（６４）のうちの第２不一致部品に対応する第２表示部品属性情報が複数の第２構成部品属性情報（１５）のうちのその第２不一致部品に対応する第２構成部品属性情報と異なるときに、その第２構成部品属性情報がその第２表示部品属性情報に一致するように、部品表（１０）を更新するステップとを備えている。このような部品表図面作成方法によれば、複数の表示部品属性情報（６３、６４、６５）と複数の構成部品属性情報（１４、１５、１６）とをより適切に整合させることができる。
【００１９】
複数の第１構成部品属性情報（１４、１６）のうちの任意の部品に対応する第１構成部品属性情報は、複数の階層（４２−１〜４２−ｍ）に対応する複数の組立品を示している構成情報を示している。その複数の組立品のうちの最下位階層に対応する組立品は、その任意の部品を備えている。その複数の組立品のうちの任意の階層に対応する組立品は、その複数の組立品のうちのその任意の階層より下位の階層に対応する組立品を備えている。
【００２０】
本発明による部品表図面作成方法は、図面（３１）と複数の表示組立品とを表示装置に表示するステップと、入力装置を介して入力される情報に基づいてその複数の表示組立品から選択組立品が選択されたときに、複数の表示図形（３３−１〜３３−ｎ）のうちの複数の組立品図形を、複数の表示図形（３３−１〜３３−ｎ）のうちのその複数の組立品図形を除く図形と識別可能に図面（３１）に表示するステップとをさらに備えている。このとき、複数の第１表示部品属性情報（６３、６５）のうちの組立品部品に対応する第１表示部品属性情報が示している構成情報は、複数の表示部品（６２）のうちのその複数の組立品図形に対応する複数の組立品部品がその組立品部品を含んでいるときに、その選択組立品を示している。
【００２１】
本発明によるコンピュータプログラムは、本発明による部品表図面作成方法をコンピュータ（１）に実行させるためのものであることが好ましい。
【発明の効果】
【００２２】
本発明による部品表図面作成装置および部品表図面作成方法は、部品表が適切に作成されることにより、図面を作成する際のユーザの操作をより容易にすることができる。
【図面の簡単な説明】
【００２３】
【図１】図１は、本発明による部品表図面作成装置を示すブロック図である。
【図２】図２は、部品表を示す図である。
【図３】図３は、部品テーブルを示す図である。
【図４】図４は、表示画面を示す図である。
【図５】図５は、構成情報画面を示す図である。
【図６】図６は、図面属性情報を示す図である。
【図７】図７は、図面情報を作成する動作を示すフローチャートである。
【発明を実施するための形態】
【００２４】
図面を参照して、本発明による部品表図面作成装置の実施の形態を記載する。図１は、その部品表図面作成装置１を示している。部品表図面作成装置１は、コンピュータであり、図示されていないＣＰＵと記憶装置と入力装置と出力装置と通信装置とリムーバルメモリドライブとを備えている。そのＣＰＵは、部品表図面作成装置１にインストールされるコンピュータプログラムを実行して、その記憶装置と入力装置と出力装置と通信装置とリムーバルメモリドライブとを制御する。その記憶装置は、そのコンピュータプログラムを記録する。その記憶装置は、さらに、そのＣＰＵにより利用される情報を記録する。その入力装置は、ユーザに操作されることにより生成される情報をそのＣＰＵに出力する。その入力装置としては、キーボード、マウスが例示される。その出力装置は、そのＣＰＵにより生成された情報をユーザに認識されることができるように出力する。その出力装置としては、そのＣＰＵにより生成される画像を表示するディスプレイが例示される。そのリムーバルメモリドライブは、記録媒体が挿入されたときに、その記録媒体に記録されているデータを読み出すことに利用される。そのリムーバルメモリドライブは、コンピュータプログラムが記録されている記録媒体が挿入されたときに、そのコンピュータプログラムを部品表図面作成装置１にインストールするときに利用される。その通信装置は、通信回線網を介して部品表図面作成装置１が他のコンピュータに接続されているときに、その通信回線網を介してそのコンピュータと部品表図面作成装置１との間で情報を伝送する。その通信装置は、さらに、そのコンピュータがコンピュータプログラムを記憶しているときに、その通信回線網を介してそのコンピュータからコンピュータプログラムを部品表図面作成装置１にダウンロードし、そのコンピュータプログラムを部品表図面作成装置１にインストールするときに利用される。
【００２５】
部品表図面作成装置１にインストールされるコンピュータプログラムは、部品表図面作成装置１に複数の機能をそれぞれ実現させるための複数のコンピュータプログラムから形成されている。その複数の機能は、部品表作成部２と図面作成部３と表示部５と部品表更新部６と図面更新部７と属性情報整合部８とを含んでいる。
【００２６】
部品表作成部２は、入力装置を介して入力される情報に基づいて部品表を作成する。図面作成部３は、部品表作成部２により作成された部品表に基づいて図面情報を作成する。その図面情報は、図面と図面属性情報とを示している。表示部５は、図面作成部３により作成された図面情報に基づいて画面を作成し、その画面をディスプレイに表示する。部品表更新部６は、入力装置を介して入力される情報に基づいて、部品表作成部２により作成された部品表を更新する。図面更新部７は、入力装置を介して入力される情報に基づいて、図面作成部３により作成された図面情報を更新する。属性情報整合部８は、部品表更新部６によりその部品表が更新されたときに、または、図面更新部７によりその図面情報が更新されたときに、その部品表を更新し、その図面情報を更新する。
【００２７】
図２は、部品表作成部２により作成される部品表を示している。その部品表１０は、構成部品識別情報集合１１を配置情報集合１２と第１属性情報集合１４と第２属性情報集合１５と構成部品構成情報集合１６とに対応づけている。すなわち、構成部品識別情報集合１１のうちの任意の要素は、配置情報集合１２のうちの１つの要素に対応し、第１属性情報集合１４のうちの１つの要素に対応し、第２属性情報集合１５のうちの１つの要素に対応し、構成部品構成情報集合１６のうちの１つの要素に対応している。
【００２８】
構成部品識別情報集合１１の要素は、１つの製品を構成する複数の部品のうちの１つの部品を識別し、オーダとアイテムとＣＡＤ部品名称を示している。そのオーダは、その部品から製造される製品を発注する注文を識別する番号を示している。そのアイテムは、その製品に組み立てられる複数の部品に割り当てられる複数の通し番号のうちのその部品に割り当てられる通し番号を示している。配置情報集合１２のうちのある部品に対応する要素は、その部品を示す図形が図面上に配置される位置を示し、Ｘ座標とＹ座標と回転角とを示している。
【００２９】
第１属性情報集合１４のうちのある部品に対応する要素は、その部品に関する属性を示している。その属性は、名称と部品図面番号と工事名称と客先名称とを示している。その名称は、その製品の名称を示している。その部品図面番号は、その部品が表示されている図面を識別する番号を示している。その工事名称は、その製品が利用される工事を示している。その客先名称は、その製品を発注した顧客を示している。
【００３０】
第２属性情報集合１５のうちのある部品に対応する要素は、その部品に関する属性を示している。その属性は、部品図番改定と材料規格コードと計算重量と数量とメーカ名とメーカ図番と部品型番とを示している。その部品図番改定は、その部品が表示されている図面が改定されたときに、その改定された図面を識別する番号を示している。その材料規格コードは、その部品が形成される材料を示している。その計算重量は、その部品の重量を示している。その数量は、その部品が利用される数量を示し、たとえば、その部品が利用される個数を示している。そのメーカ名は、その部品が提供されるメーカを示している。そのメーカ図番は、そのメーカにより提供された複数の図面のうちのその部品が表示されている図面を識別する図番を示している。その部品型番は、そのメーカにより割り当てられている複数の型番のうちのその部品に割り当てられている型番を示している。
【００３１】
構成部品構成情報集合１６のうちのある部品に対応する要素は、その部品に関する構成情報を示し、その構成情報を示す文字列を示している。その構成情報は、複数の階層に対応する複数の組立品を示している。その複数の組立品は、それぞれ、その部品から組み立てられる組立品を示している。その複数の組立品のうちのある階層に対応する組立品は、その複数の組立品のうちのその階層より下位の階層に対応するサブ組立品から組み立てられる組立品を示している。その文字列は、その複数の階層に対応する複数の文字列から形成されている。その複数の文字列のうちのある階層に対応する文字列は、その複数の組立品のうちのその階層に対応する組立品を示している。
【００３２】
このとき、部品表更新部６は、入力装置を介して入力される情報に基づいて、部品表１０に含まれる複数の情報から１つの情報を選択する。部品表更新部６は、その１つの情報が選択されたときに、その選択された情報が入力装置を介して入力される情報に置換されるように、部品表１０を更新する。
【００３３】
図３は、図面作成部３により利用される図形テーブルを示している。その図形テーブル２１は、部品識別情報集合２２を図形集合２３に対応づけている。すなわち、部品識別情報集合２２のうちの任意の要素は、図形集合２３のうちの１つの要素に対応している。部品識別情報集合２２の要素は、部品表図面作成装置１を運用している業者が製造している複数の製品を作製するときに利用されるすべての部品のうちの１つの部品を識別し、その部品のＣＡＤ部品名称を示している。図形集合２３のうちのある部品対応する要素は、その部品を示す図形を示している。
【００３４】
図４は、表示部５により作成された画面を示している。その画面３０は、図面３１と構成情報表示画面３２とを備えている。図面３１は、図面作成部３により作成された図面情報が示す図面であり、複数の表示部品図形３３−１〜３３−ｎ（ｎ＝２，３，４，…）が表示されている。複数の表示部品図形３３−１〜３３−ｎは、部品表１０の構成部品集合が示す複数の構成部品に対応している。複数の表示部品図形３３−１〜３３−ｎのうちのある構成部品に対応する表示部品図形３３−ｉ（ｉ＝１，２，３，…，ｎ）は、図形テーブル２１の図形集合２３のうちのその構成部品に対応する図形を示している。表示部品図形３３−ｉが図面３１に表示される位置は、部品表１０の配置位置情報集合１２のうちのその構成部品に対応する位置に一致している。すなわち、表示部品図形３３−ｉが図面３１に表示される位置のＸ座標とＹ座標とは、部品表１０の配置位置情報集合１２のうちのその構成部品に対応する配置情報が示すＸ座標とＹ座標とにそれぞれ一致している。表示部品図形３３−ｉが図面３１に表示される角度は、部品表１０の配置位置情報集合１２のうちのその構成部品に対応する配置情報が示す回転角に一致している。
【００３５】
すなわち、図面作成部３は、図形テーブル２１を参照して、部品表１０に基づいて図面３１作成する。さらに、図面作成部３は、部品表１０の構成部品集合が示す複数の構成部品に対応しない非対応図形が図面３１に表示されているときに、その非対応図形を図面３１から消去する。
【００３６】
図面更新部７は、入力装置を介して入力された情報に基づいて複数の表示部品図形３３−１〜３３−ｎから１つの表示部品図形３３−ｉを選択する。図面更新部７は、表示部品図形３３−ｉが選択された場合で、入力装置を介して位置が入力されたときに、表示部品図形３３−ｉがその入力された位置に表示されるように、図面３１を更新する。
【００３７】
属性情報整合部８は、図面更新部７により表示部品図形３３−ｉが表示される位置が更新されたときに、部品表１０の構成部品識別情報集合１１から表示部品図形３３−ｉに対応する構成部品を算出し、配置位置情報集合１２のうちのその構成部品に対応する位置がその更新された位置に一致するように、部品表１０を更新する。
【００３８】
属性情報整合部８は、部品表更新部６により部品表１０の配置位置情報集合１２のうちのある構成部品に対応する位置が更新されたときに、複数の表示部品図形３３−１〜３３−ｎからその構成部品に対応する１つの表示部品図形３３−ｉが、その更新された位置に表示されるように、図面３１を更新する。
【００３９】
図５は、構成情報表示画面３２を詳細に示している。構成情報表示画面３２は、複数の組立品文字列が表示されている。その複数の組立品文字列の各組立品文字列は、複数の表示部品図形３３−１〜３３−ｎに対応する複数の表示部品のうちの１つの表示部品の名称を示し、または、その複数の表示部品のうちのいくつかから組み立てられる組立品の名称を示している。構成情報表示画面３２は、さらに、部品表１０の構成部品構成情報集合１６が示す複数の構成情報が示す複数の階層をそれぞれ示す複数の階層４２−１〜４２−ｍ（ｍ＝２，３，４，…）を示している。すなわち、複数の階層４２−１〜４２−ｍのうちの任意の階層４２−ｊ（ｊ＝１，２，３，…，ｍ−１）は、部品表１０の構成部品構成情報集合１６が示す複数の構成情報が示す複数の階層のうちの１つの階層を示している。
【００４０】
その複数の組立品文字列の各組立品文字列は、複数の階層４２−１〜４２−ｍのうちのいずれか１つの階層に属している。複数の階層４２−１〜４２−ｍのうちの最上位の階層４２−１には、１つの組立品文字列だけが属し、その組立品文字列は、その製品の名称を示している。階層４２−（ｊ＋１）に属する任意の組立品文字列４４は、階層４２−（ｊ＋１）より１つだけ上位の階層４２−ｊに属する複数の組立品文字列４３−１〜４３−Ｓ（Ｓ＝２，３，４，…）のうちの１つの組立品文字列４３−ｋ（ｋ＝１，２，３，…，Ｓ）に対応づけられている。この対応づけは、組立品文字列４３−ｋが示す組立品は、組立品文字列４４が示すサブ組立品から組み立てられていることを示している。
【００４１】
図６は、図面作成部３により作成される図面情報が示す図面属性情報を示している。その図面属性情報６１は、表示部品識別情報集合６２を第１属性情報集合６３と第２属性情報集合６４と表示部品構成情報集合６５とに対応づけている。すなわち、表示部品識別情報集合６２のうちの任意の要素は、第１属性情報集合６３のうちの１つの要素に対応し、第２属性情報集合６４のうちの１つの要素に対応し、表示部品構成情報集合６５のうちの１つの要素に対応している。
【００４２】
表示部品識別情報集合６２の要素は、図面作成部３により作成される図面情報が示す図面に表示される複数の図形に対応する複数の部品のうちの１つの部品を識別し、部品表１０の構成部品識別情報集合１１の各要素と同様にして、その部品のオーダとアイテムとＣＡＤ部品名称とを示している。第１属性情報集合６３のうちのある部品に対応する要素は、その部品に関する属性を示している。その属性は、部品表１０の第１属性情報集合１４の各要素が示す属性と同様にして、名称と部品図面番号と工事名称と客先名称とを示している。第２属性情報集合６４のうちのある部品に対応する要素は、その部品に関する属性を示している。その属性は、部品表１０の第２属性情報集合１５の各要素が示す属性と同様にして、部品図番改定と材料規格コードと計算重量と数量とメーカ名とメーカ図番と部品型番とを示している。表示部品構成情報集合６５のうちのある部品に対応する要素は、その部品に関する構成情報を示し、その構成情報を示す文字列を示している。その構成情報は、部品表１０の構成部品構成情報集合１６の各要素が示す属性と同様にして、複数の階層に対応する複数の組立品を示している。
【００４３】
このとき、図面作成部３は、部品表１０に基づいて図面属性情報６１を作成する。このとき、表示部品識別情報集合６２は、構成部品識別情報集合１１に一致している。第１属性情報集合６３は、第１属性情報集合１４に一致している。第２属性情報集合６４は、第２属性情報集合１５に一致している。表示部品構成情報集合６５は、構成部品構成情報集合１６に一致している。
【００４４】
表示部５は、図面属性情報６１を参照して構成情報表示画面３２を作成する。すなわち、表示部５は、表示部品構成情報集合６５が複数の階層４２−１〜４２−ｊに対応する複数の組立品が一致する複数の構成情報を含むときに、その複数の構成情報が示すその複数の組立品のうちの階層４２−ｊに対応する組立品を示す組立品文字列が１つだけ表示されるように、構成情報表示画面３２を作成する。
【００４５】
表示部５は、入力装置を介して入力された情報に基づいて構成情報表示画面３２に表示される複数の組立品文字列から１つの選択文字列が選択されたときに、複数の階層４２−１〜４２−ｍからその選択文字列に対応する階層４２−ｊを算出する。表示部５は、表示部品構成情報集合６５から階層４２−ｊにその選択文字列を対応づけている複数の選択構成情報を算出し、表示部品識別情報集合６２からその複数の選択構成情報に対応する複数の選択表示部品を算出する。表示部５は、さらに、図面３１に表示される複数の表示部品図形３３−１〜３３−ｎのうちの複数の選択表示部品に対応する複数の選択表示部品図形をハイライト表示する。すなわち、表示部５は、複数の表示部品図形３３−１〜３３−ｎのうちのその複数の選択表示部品に対応しない他の表示部品図形が表示される表示形態と異なる表示形態でその複数の選択表示部品図形を表示する。
【００４６】
図面更新部７は、入力装置を介して入力された情報に基づいて、図面属性情報６１に含まれる複数の情報から１つの情報を選択する。図面更新部７は、さらに、その選択された情報が入力装置を介して入力された情報に置換されるように、図面属性情報６１を更新する。
【００４７】
属性情報整合部８は、部品表更新部６により部品表１０の第１属性情報集合１４に含まれる情報が更新されたときに、図面属性情報６１の第１属性情報集合６３が第１属性情報集合１４に一致するように、図面属性情報６１を更新する。属性情報整合部８は、部品表更新部６により部品表１０の第２属性情報集合１５に含まれる情報が更新されたときに、図面属性情報６１の第２属性情報集合６４が第２属性情報集合１５に一致するように、図面属性情報６１を更新する。属性情報整合部８は、部品表更新部６により部品表１０の構成部品構成情報集合１６に含まれる情報が更新されたときに、図面属性情報６１の表示部品構成情報集合６５が構成部品構成情報集合１６に一致するように、図面属性情報６１を更新する。
【００４８】
属性情報整合部８は、図面更新部７により図面属性情報６１の第１属性情報集合６３に含まれる情報が更新されたときに、第１属性情報集合６３が部品表１０の第１属性情報集合１４に一致するように、図面属性情報６１を更新する。属性情報整合部８は、図面更新部７により図面属性情報６１の第２属性情報集合６４に含まれる情報が更新されたときに、部品表１０の第２属性情報集合１５が第２属性情報集合６４に一致するように、部品表１０を更新する。属性情報整合部８は、図面更新部７により図面属性情報６１の表示部品構成情報集合６５に含まれる情報が更新されたときに、部品表１０の構成部品構成情報集合１６が表示部品構成情報集合６５に一致するように、図面属性情報６１を更新する。
【００４９】
本発明による部品表図面作成方法の実施の形態は、部品表図面作成装置１により実行され、図面情報を作成する動作と図面を表示する動作と部品表を更新する動作と図面情報を更新する動作とを備えている。
【００５０】
図７は、その図面情報を作成する動作を示している。ユーザは、まず、ある製品を構成する複数の構成部品を示す部品表１０を作成し、入力装置を介して部品表１０を部品表図面作成装置１に入力する。部品表図面作成装置１は、予め作成された図面に表示されている複数の表示部品図形３３−１〜３３−ｎに対応する複数の表示部品（すなわち、図面属性情報６１の表示部品識別情報集合６２が示す複数の表示部品）に含まれていない不足部品を部品表１０の構成部品識別情報集合１１が示す複数の構成部品から検索する（ステップＳ１）。
【００５１】
部品表図面作成装置１は、その不足部品があるときに（ステップＳ１、ＹＥＳ）、図形テーブル２１を参照して、図形集合２３のうちのその不足部品に対応する不足部品図形が部品表１０の配置位置情報集合１２のうちのその不足部品に対応する位置に表示されるように、図面３１上に描画する（ステップＳ２）。
【００５２】
部品表図面作成装置１は、その不足部品があるときに（ステップＳ１、ＹＥＳ）、さらに、その不足部品に関する属性情報を図面属性情報６１に追記する（ステップＳ３）。すなわち、部品表図面作成装置１は、図面属性情報６１の表示部品識別情報集合６２にその不足部品のＣＡＤ部品名称を追加する。部品表図面作成装置１は、さらに、第１属性情報集合１４のうちのその不足部品に対応する属性情報を第１属性情報集合６３に追加する。部品表図面作成装置１は、さらに、第２属性情報集合１５のうちのその不足部品に対応する属性情報を第２属性情報集合６４に追加する。部品表図面作成装置１は、さらに、構成部品構成情報集合１６のうちのその不足部品に対応する属性情報を表示部品構成情報集合６５に追加する。
【００５３】
部品表図面作成装置１は、その不足部品がなくなるまで、ステップＳ２とステップＳ３とを繰り返して実行する。
【００５４】
部品表図面作成装置１は、その不足部品がないときに（ステップＳ１、ＮＯ）、部品表１０の構成部品識別情報集合１１が示す複数の構成部品に含まれていない不要部品を複数の表示部品図形３３−１〜３３−ｎに対応する複数の表示部品（すなわち、図面属性情報６１の表示部品識別情報集合６２が示す複数の表示部品）から検索する（ステップＳ４）。
【００５５】
部品表図面作成装置１は、その不要部品があるときに（ステップＳ４、ＹＥＳ）、複数の表示部品図形３３−１〜３３−ｎのうちのその不要部品に対応する表示図形を削除する（ステップＳ５）。部品表図面作成装置１は、その不要部品があるときに（ステップＳ４、ＹＥＳ）、さらに、図面属性情報６１からその不要部品に関する属性情報を削除する（ステップＳ５）。すなわち、部品表図面作成装置１は、その不要部品のＣＡＤ部品名称を図面属性情報６１の表示部品識別情報集合６２から削除する。部品表図面作成装置１は、さらに、第１属性情報集合６３からその不要部品に対応する属性情報を削除する。部品表図面作成装置１は、さらに、第２属性情報集合６４からその不要部品に対応する属性情報を削除する。部品表図面作成装置１は、さらに、表示部品構成情報集合６５からその不要部品に対応する属性情報を削除する。
【００５６】
部品表図面作成装置１は、その不要部品がなくなるまで、ステップＳ５とステップＳ６とを繰り返して実行する。
【００５７】
このような動作によれば、ユーザは、部品表１０の配置位置情報集合１２を適切に作成することにより、部品表１０が作成されるより前に図面を作成することに比較して、図面３１をより容易に作成することができる。すなわち、部品表図面作成装置１は、図面３１を作成する作業をより容易にすることができる。このような動作によれば、ユーザは、さらに、部品表１０と図面属性情報６１とを別途に作成することに比較して、図面属性情報６１をより容易に作成することができる。すなわち、部品表図面作成装置１は、図面属性情報６１を作成する作業をより容易にすることができる。
【００５８】
その図面を表示する動作は、図面３１が作成された後に実行される。部品表図面作成装置１は、図面属性情報６１を参照して、構成情報表示画面３２を作成する。すなわち、部品表図面作成装置１は、表示部品構成情報集合６５が示す複数の構成情報が示す複数の組立品のうちの階層４２−ｊに対応する組立品を示す組立品文字列が階層４２−ｊに対応づけられて表示されるように、構成情報表示画面３２を作成する。部品表図面作成装置１は、さらに、表示部品構成情報集合６５が複数の階層４２−１〜４２−ｊに対応する複数の組立品が一致する複数の構成情報を含むときに、その複数の構成情報が示すその複数の組立品のうちの階層４２−ｊに対応する組立品を示す組立品文字列が１つだけ表示されるように、構成情報表示画面３２を作成する。
【００５９】
部品表図面作成装置１は、入力装置を介して入力された情報に基づいて構成情報表示画面３２に表示される複数の組立品文字列から１つの選択文字列が選択されたときに、複数の階層４２−１〜４２−ｍからその選択文字列に対応する階層４２−ｊを算出する。部品表図面作成装置１は、表示部品構成情報集合６５から階層４２−ｊにその選択文字列を対応づけている複数の選択構成情報を算出し、表示部品識別情報集合６２からその複数の選択構成情報に対応する複数の選択表示部品を算出する。部品表図面作成装置１は、さらに、図面３１に表示される複数の表示部品図形３３−１〜３３−ｎのうちの複数の選択表示部品に対応する複数の選択表示部品図形をハイライト表示する。すなわち、部品表図面作成装置１は、複数の表示部品図形３３−１〜３３−ｎのうちのその複数の選択表示部品に対応しない他の表示部品図形が表示される表示形態と異なる表示形態でその複数の選択表示部品図形を表示する。
【００６０】
このような動作によれば、ユーザは、構成情報表示画面３２を用いて複数の組立品から１つの組立品を選択することにより、所定の組立工程で用いられる部品がどこに表示されているのかがすぐに把握することができ、複数の表示図形３３−１〜３３−ｎから所望の部品３３−ｊをより容易に、または、より高速に検索することができる。このため、部品表図面作成装置１は、設計／工作工程での業務効率化を図ることができる。
【００６１】
その部品表を更新する動作は、部品表１０とその図面情報とが作成された後に実行される。ユーザは、部品表１０が示す複数の情報のうちの不具合情報を更新情報に更新しようとするときに、入力装置を介して構成部品識別情報集合１１からその不具合情報に対応する不具合部品を選択し、入力装置を介して配置情報集合１２と第１属性情報集合１４と第２属性情報集合１５と構成部品構成情報集合１６とのうちからその不具合情報を含む集合を選択し、入力装置を介してその更新情報を部品表図面作成装置１に入力する。部品表図面作成装置１は、その選択された集合のうちのその不具合部品に対応する情報をその更新情報に置換する。
【００６２】
さらに、部品表図面作成装置１は、配置位置情報集合１２のうちのある構成部品に対応する配置位置情報が更新配置位置情報に更新されたときに、複数の表示部品図形３３−１〜３３−ｎからその構成部品に対応する１つの表示部品図形３３−ｉが、その更新配置位置情報が示す位置に表示されるように、図面３１を更新する。部品表図面作成装置１は、第１属性情報集合１４のうちのある構成部品に対応する第１属性情報が更新第１属性情報に更新されたときに、図面属性情報６１の第１属性情報集合６３のうちのその構成部品に対応する第１属性情報が更新第１属性情報に更新されるように、図面属性情報６１を更新する。部品表図面作成装置１は、第２属性情報集合１５のうちのある構成部品に対応する第２属性情報が更新第２属性情報に更新されたときに、図面属性情報６１の第２属性情報集合６４のうちのその構成部品に対応する第２属性情報が更新第２属性情報に更新されるように、図面属性情報６１を更新する。部品表図面作成装置１は、構成部品構成情報集合１６のうちのある構成部品に対応する構成情報が更新構成情報に更新されたときに、図面属性情報６１の表示部品構成情報集合６５のうちのその構成部品に対応する構成情報が更新構成情報に更新されるように、図面属性情報６１を更新する。
【００６３】
このような動作によれば、図面属性情報６１は、部品表１０が更新されても、部品表１０に整合するように自動的に更新される。このため、部品表図面作成装置１は、部品表１０と図面属性情報６１とが整合しなくなることを防止し、設計品質を向上させ、ユーザによる部品表１０と図面属性情報６１との整合性を確認する作業を高速化容易化することができる。
【００６４】
その図面情報を更新する動作は、その部品表を更新する動作と同様にして、部品表１０とその図面情報とが作成された後に実行される。ユーザは、図面３１に表示される複数の表示部品図形３３−１〜３３−ｎのうちの１つの表示部品図形３３−ｉが表示される位置を更新位置に更新しようとするときに、入力装置を介して表示部品図形３３−ｉを選択し、入力装置を介してその更新位置を部品表図面作成装置１に入力する。このとき、部品表図面作成装置１は、表示部品図形３３−ｉがその更新位置に表示されるように、図面３１を更新する。
【００６５】
部品表図面作成装置１は、複数の表示部品図形３３−１〜３３−ｎのうちの１つの表示部品図形３３−ｉが表示される位置が更新位置に更新されたときに、部品表１０の表示位置情報集合１２のうちの表示部品図形３３−ｉが示す不具合表示部品に対応する表示位置情報がその更新位置を示すように、図面属性情報６１を更新する。
【００６６】
ユーザは、さらに、図面属性情報６１を更新しようとするときに、入力装置を介して複数の表示部品図形３３−１〜３３−ｎから不具合表示部品図形３３−ｉを選択し、入力装置を介して配置情報集合１２と第１属性情報集合１４と第２属性情報集合１５と構成部品構成情報集合１６とから更新集合を選択し、入力装置を介して更新情報を部品表図面作成装置１に入力する。このとき、部品表図面作成装置１は、その更新集合のうちの不具合表示部品図形３３−ｉが示す表示部品に対応する情報がその更新情報を示すように、図面属性情報６１を更新する。
【００６７】
部品表図面作成装置１は、第１属性情報集合６３のうちのある表示部品に対応する第１属性情報が更新されたときに、第１属性情報集合６３のうちのその表示部品に対応する第１属性情報が第１属性情報集合１４のうちのその表示部品に対応する第１属性情報を示すように、図面属性情報６１を更新する。部品表図面作成装置１は、第２属性情報集合６４のうちのある表示部品に対応する第２属性情報が更新第２属性情報に更新されたときに、部品表１０の第２属性情報集合１５のうちのその表示部品に対応する第２属性情報がその更新第２属性情報を示すように、部品表１０を更新する。部品表図面作成装置１は、表示部品構成情報集合６５のうちのある表示部品に対応する構成情報が更新構成情報に更新されたときに、表示部品構成情報集合６５のうちのその表示部品に対応する構成情報が部品表１０の構成部品構成情報集合１６のうちのその表示部品に対応する構成情報を示すように、図面属性情報６１を更新する。
【００６８】
このような動作によれば、部品表１０と図面属性情報６１とは、図面属性情報６１が更新されても、図面属性情報６１に整合するように自動的に更新される。このため、部品表図面作成装置１は、部品表１０と図面属性情報６１とが整合しなくなることを防止することができる。
【００６９】
このような動作によれば、部品表１０は、図面属性情報６１の第１属性情報集合６３と表示部品構成情報集合６５とが更新されても、第１属性情報集合１４と構成部品構成情報集合１６とが更新されない。すなわち、部品表図面作成装置１は、第１属性情報集合６３と第２属性情報集合６４とが適切に作成されることにより、図面属性情報６１が更新されたときに部品表１０が不適切に更新されることを防止することができる。
【００７０】
なお、本発明による部品表図面作成方法は、その図面を表示する動作と部品表を更新する動作と図面情報を更新する動作との各々は、省略することもできる。この場合でも、本発明による部品表図面作成方法は、既述の実施の形態における部品表図面作成方法と同様にして、ユーザにより図面３１を作成する作業をより容易にすることができる。
【符号の説明】
【００７１】
１  ：部品表図面作成装置
２  ：部品表作成部
３  ：図面作成部
５  ：表示部
６  ：部品表更新部
７  ：図面更新部
８  ：属性情報整合部
１０：部品表
１１：構成部品識別情報集合
１２：置情報集合
１４：第１属性情報集合
１５：第２属性情報集合
１６：構成部品構成情報集合
２１：図形テーブル
２２：部品識別情報集合
２３：図形集合
３０：画面
３１：図面
３２：構成情報表示画面
３３−１〜３３−ｎ：複数の表示部品図形
４２−１〜４２−ｍ：複数の階層
４３−１〜４３−Ｓ：複数の組立品文字列
４４：組立品文字列
６１：図面属性情報
６２：表示部品識別情報集合
６３：第１属性情報集合
６４：第２属性情報集合
６５：表示部品構成情報集合
【図１】
2012123483.tif 000003
【図２】
2012123483.tif 000004
【図３】
2012123483.tif 000005
【図４】
2012123483.tif 000006
【図５】
2012123483.tif 000007
【図６】
2012123483.tif 000008
【図７】
2012123483.tif 000009